(57)【要約】【課題】光学部材を利用することなく、光源の動き（変位または回転）に応じて光源の色温度を変えられる照明器具を提供する。【解決手段】照明器具１０は、発光色が異なる複数の発光ダイオード１１０を有する光源１１と、上記光源１１を制御する点灯装置１２と、所定位置に配置され上記光源１１を可動に保持する保持体１５と、記光源１１の動きを検知する検知装置１３と、を備える。上記点灯装置１２は、上記検知装置１３の検知結果に応じて、上記発光ダイオード１１の制御を行うことで、上記光源１１の色温度を変化させるように構成される。【選択図】図１
2011175806.tif 000002
【特許請求の範囲】
【請求項１】
発光色が異なる複数の発光ダイオードを有する光源と、
上記光源を制御する点灯装置と、
所定位置に配置され上記光源を可動に保持する保持体と、
上記光源の動きを検知する検知装置と、を備え、
上記点灯装置は、上記検知装置の検知結果に応じて、上記複数の発光ダイオードの制御を行うことで、上記光源の色温度を変化させるように構成される
ことを特徴とする照明器具。
【請求項２】
上記光源は、第１の発光ダイオードと、上記第１の発光ダイオードとは発光色が異なる第２の発光ダイオードと、を備え、
上記検知装置は、上記光源の動きに基づいて、上記光源が第１位置と第２位置とのいずれに位置しているかを判断するように構成され、
上記点灯装置は、上記光源が上記第１位置に位置していれば上記第１の発光ダイオードを点灯させるとともに上記第２の発光ダイオードを消灯させ、上記光源が上記第２位置に位置していれば上記第２の発光ダイオードを点灯させるとともに上記第１の発光ダイオードを消灯させるように構成される
ことを特徴とする請求項１記載の照明器具。
【発明の詳細な説明】
【技術分野】
【０００１】
本発明は、照明器具、特に、発光ダイオードを用いた照明器具に関する。
【背景技術】
【０００２】
特許文献１は、灯具と、灯具内で上下動するランプとを備える照明装置を開示する。灯具の側周は下向きに傾斜する複数枚のルーバ片で構成されている。ルーバ片の上面はオレンジ系の色に塗装され、ルーバ片の下面はブルー系の色に塗装されている。ランプが灯具内の上方に位置すると、ランプから放射された光がルーバ片の上面で反射され、オレンジ系の反射光が得られる。ランプが灯具内の下方に位置すると、ランプから放射された光がルーバ片の下面で反射され、ブルー系の反射光が得られる。
【先行技術文献】
【特許文献】
【０００３】
【特許文献１】特開昭５４−１２７１６５号公報
【発明の概要】
【発明が解決しようとする課題】
【０００４】
上記特許文献１に開示された照明装置では、ランプが灯具内を移動することで、照明装置から放射される光の色が変わる。上記特許文献１では、上述したように、所望の色の光だけを反射させることで、光の色を変化させている。しかしながら、光の色を変えるために、反射板やカラーフィルタなどの光学部材を用いた場合には、光の色だけではなく、配光も変化してしまうことがある。
【０００５】
本発明は上述の点に鑑みて為された。本発明の目的は、光学部材を利用することなく、光源の動き（変位または回転）に応じて光源の色温度を変えられる照明器具を提供することである。
【課題を解決するための手段】
【０００６】
第１の発明に係る照明器具は、発光色が異なる複数の発光ダイオードを有する光源と、上記光源を制御する点灯装置と、所定位置に配置され上記光源を可動に保持する保持体と、上記光源の動きを検知する検知装置と、を備え、上記点灯装置は、上記検知装置の検知結果に応じて、上記複数の発光ダイオードを制御することで、上記光源の色温度を変化させるように構成される。
【０００７】
第２の発明に係る照明器具は、上記第１の発明において、上記光源は、第１の発光ダイオードと、上記第１の発光ダイオードとは発光色が異なる第２の発光ダイオードと、を有し、上記検知装置は、上記光源の動きに基づいて、上記光源が第１位置と第２位置とのいずれに位置しているかを判断するように構成され、上記点灯装置は、上記光源が上記第１位置に位置していれば上記第１の発光ダイオードを点灯させるとともに上記第２の発光ダイオードを消灯させ、上記光源が上記第２位置に位置していれば上記第２の発光ダイオードを点灯させるとともに上記第１の発光ダイオードを消灯させるように構成される。
【発明の効果】
【０００８】
本発明に係る照明器具は、光学部材を利用することなく、光源の動き（変位または回転）に応じて光源の色温度を変えられるという効果を奏する。
【図面の簡単な説明】
【０００９】
【図１】本発明の一実施形態の照明器具の概略図である。
【図２】上記実施形態の照明器具の説明図である。
【図３】上記実施形態の第１変形例の照明器具を示し、（ａ）は側面図、（ｂ）は正面図である。
【図４】上記実施形態の第２変形例の照明器具の説明図である。
【発明を実施するための形態】
【００１０】
図１および図２は、本発明の一実施形態の照明器具１０を示す。本実施形態の照明器具１０は、いわゆるペンダントライトである。
【００１１】
照明器具１０は、光源１１と、点灯装置１２と、検知装置１３と、灯具１４と、保持体１５と、を備える。
【００１２】
光源１１は、発光色が異なる複数の発光ダイオード１１０を有する発光ダイオードモジュールである。光源１１は、複数の第１の発光ダイオード１１０（１１１）と、複数の第２光源ユニット１１０（１１２）と、を備える。第１の発光ダイオード１１１は、色温度が５０００Ｋの白色光を放射する発光ダイオードである。色温度が５０００Ｋの光は、人にさわやかで涼しげな印象を与えるため、読書や勉強などの生活シーンに適している。第２の発光ダイオード１１２は、第１の発光ダイオード１１１とは発光色が異なる。第２の発光ダイオード１１２は、色温度が２７００Ｋの橙色光を放射する発光ダイオードである。色温度が２７００Ｋの光は、人におだやかで温かな印象を与える。よって、食事などの生活シーンに適している。
【００１３】
なお、各発光ダイオード１１１，１１２の発光色は、上記の例に限定されない。たとえば、第１の発光ダイオード１１１は、青色光を放射する発光ダイオードであってもよい。第１の発光ダイオード１１１と、第２の発光ダイオード１１２とは、人が異なる印象を受ける程度に色温度が異なっていればよい。発光ダイオード１１０は、有機エレクトロルミネッセンスを利用した有機発光ダイオードであってもよい。
【００１４】
灯具１４は、光源１１と、点灯装置１２と、を収納する。灯具１４は、たとえば、箱状の第１筐体１４１と、透光性（各発光ダイオード１１１，１１２から放射される光に対する透光性）を有するランプカバー１４２と、を有する。第１筐体１４１の下面には開口が設けられている。ランプカバー１４２は、第１筐体１４１の開口を塞ぐようにして第１筐体１４１の下面に取り付けられる。また、灯具１４は、灯具１４を上げ下げするための把手１４３を備える。把手１４３は、たとえばカバー１４２の下面に取り付けられる。
【００１５】
灯具１４は、電源コード１６を用いて保持体１５に吊り下げられている。なお、灯具１４を保持体１５に吊り下げるために、必ずしも電源コード１６を用いる必要はない。
【００１６】
保持体１５は、天井１０００に配置される。保持体１５は、たとえば、円盤状の第２筐体１５１を有する。第２筐体１５１には、電源コード１６の巻き取りを行う巻き取り機（リーラ）１５２が収納されている。巻き取り機１５２は、電源コード１６の引き出し量を調節可能に構成されている。そのため、電源コード１６を出し入れすることによって、灯具１４と保持体１５との距離、すなわち、灯具１４と天井１０００との距離（吊り下げ距離）が変化する。
【００１７】
たとえば、ユーザが灯具１４の把手１４３を持って灯具１４を下へ引っ張ることで、電源コード１６が保持体１５から引き出されて、灯具１４が下方へ移動する。また、ユーザが灯具１４の把手１４３を持って灯具１４を押し上げることで、電源コード１６が保持体１５に収納されて、灯具１４が上方へ移動する。
【００１８】
このように、保持体１５は、灯具１４を上下に移動可能に保持する（灯具１４を可動に保持する）。
【００１９】
保持体１５の第２筐体１５１には、検知装置１３が収納されている。
【００２０】
検知装置１３は、光源１１の動き（灯具１４の動き）を検知するように構成される。検知装置１３は、灯具１４の変位を、光源１１の動きとして検知する。
【００２１】
検知装置１３は、灯具１４の変位に基づいて、光源１１が第１位置と第２位置とのいずれに位置しているかを判断する。たとえば、検知装置１３は、灯具１４と天井１０００との距離を示す値が第１判定値以上であれば、光源１１が第１位置に位置していると判断する。検知装置１３は、灯具１４と天井１０００との距離が所定の第１判定値未満であれば、光源１１が第２位置に位置していると判断する。
【００２２】
上記第１判定値は、たとえば、テーブル１１００と灯具１４との距離に基づいて設定される。たとえば、灯具１４と天井１０００との距離が第１判定値未満となる場合は、灯具１４とテーブル１１００との距離が６０ｃｍを越える場合である。灯具１４と天井１０００との距離が第１判定値以上となる場合は、灯具１４とテーブル１１００との距離が６０ｃｍ未満になる場合である。たとえば、天井高が２ｍ４０ｃｍ、テーブル１０００の高さが８０ｃｍである場合、第１判定値は１ｍである。
【００２３】
第１位置は、テーブル１１００で食事をする場合を想定した灯具１４の位置である。第２位置は、テーブル１１００で読書や勉強をする場合を想定した灯具１４の位置である。
【００２４】
また、検知装置１３は、灯具１４の変位に基づいて、光源１１が第３位置に位置しているか否かを判断する。たとえば、検知装置１３は、灯具１４と天井１０００との距離を示す値が所定の第２判定値未満であれば、光源１１が第３位置に位置していると判断する。第２判定値は第１判定値未満である。たとえば、第２判定値は、第１判定値より２０ｃｍ短い。すなわち、灯具１４と天井１０００との距離が第２判定値未満となる場合は、灯具１４とテーブル１１００との距離が８０ｃｍを越える場合である。
【００２５】
検知装置１３は、光源１１が第１位置に位置していると判断すると、光源１１が第１位置に位置していることを示す検知信号（第１検知信号）を点灯装置１２に送信する。検知装置１３は、光源１１が第２位置に位置していると判断すると、光源１１が第２位置に位置していることを示す検知信号（第２検知信号）を点灯装置１２に送信する。検知装置１３は、光源１１が第３位置に位置していると判断すると、光源１１が第３位置に位置していることを示す検知信号（第３検知信号）を点灯装置１２に送信する。検知装置１３は、有線または無線により点灯装置１２に検知信号を送信する。たとえば、検知装置１３は、電源コード１６の電位を変化させることで、点灯装置１２に検知信号を送信する。
【００２６】
検知装置１３は、たとえば、機械スイッチを備える。この場合、電源コード１６の所定位置には検知装置１３の機械スイッチのオン・オフを切り替えるための突起が設けられる。このようにすれば、電源コード１６が出し入れされることで、電源コード１６の突起が機械スイッチに接触して、機械スイッチのオン・オフが切り換えられる。検知装置１３は、機械スイッチのオン・オフによって、光源１１が第１位置と第２位置とのいずれに位置しているかを判断することができる。なお、検知装置１３は、機械スイッチの代わりに、巻き取り機１５２に巻き取られた電源コード１６の長さを検出するセンサを備えていてもよい。また、検知装置１３は、保持体１５と灯具１４との距離を測定する距離センサを備えていてもよい。
【００２７】
点灯装置１２は、光源１０を制御するように構成される。点灯装置１２は、電源コード１６を介して商用電源（図示せず）に接続される。点灯装置１２は、商用電源より得た電力を利用して光源１１の発光ダイオード１１０の制御を行う。なお、発光ダイオード１１０の制御とは、発光ダイオード１１０の点灯・消灯・調光をいう。
【００２８】
本実施形態では、点灯装置１２は、検知装置１３の検知結果に応じて、各発光ダイオード１１１，１１２の制御を行うことで、光源１１の色温度を変化させるように構成される。
【００２９】
点灯装置１２は、検知装置１３から第１検知信号を受け取ると（すなわち光源１１が第１位置に位置していれば）、第１の発光ダイオード１１１を点灯するとともに第２の発光ダイオード１１２を消灯する。この場合、光源１１の色温度は、第１の発光ダイオード１１１の発光色によってのみ決定される。よって、光源１１の色温度は、５０００Ｋになる。点灯装置１２は、検知装置１３から第２検知信号を受け取ると（すなわち光源１１が第２位置に位置していれば）、第２の発光ダイオード１１２を点灯するとともに第１の発光ダイオード１１１を消灯する。この場合、光源１１の色温度は、第２の発光ダイオード１１２の発光色によってのみ決定される。よって、光源１１の色温度は、２７００Ｋになる。点灯装置１２は、検知装置１３から第３検知信号を受け取ると（すなわち光源１１が第３位置に位置していれば）、各発光ダイオード１１１，１１２を消灯する（光源１１を消灯する）。
【００３０】
次に、本実施形態の照明器具１０の動作について簡単に説明する。
【００３１】
まず、灯具１４が図２に実線で示す位置にあるとする。このとき、灯具１４と天井１０００との距離Ｌ１０は、第１判定値未満である（灯具１４とテーブル１１００との距離Ｌ２０が６０ｃｍ以上８０ｃｍ未満である）。この場合、検知装置１３は、光源１１が第２位置に位置していると判断して、第２検知信号を点灯装置１２に送信する。点灯装置１２は、検知装置１３から第２検知信号を受け取ると、第２の発光ダイオード１１２を点灯するとともに第１の発光ダイオード１１１を消灯する。この場合、光源１１の色温度は、２７００Ｋになる。
【００３２】
その後、ユーザが灯具１４の把手１４３を持って灯具１４を下へ引っ張ることで、灯具１４を図２に破線で示す位置まで移動させたとする。
【００３３】
このとき、灯具１４と天井１０００との距離Ｌ１１は、第１判定値以上である（灯具１４とテーブル１１００との距離Ｌ２１が６０ｃｍ未満である）。この場合、検知装置１３は、光源１１が第１位置に位置していると判断して、第１検知信号を点灯装置１２に送信する。点灯装置１２は、検知装置１３から第１検知信号を受け取ると、第１の発光ダイオード１１１を点灯するとともに第２の発光ダイオード１１２を消灯する。この場合、光源１１の色温度は、５０００Ｋになる。
【００３４】
その後、ユーザが灯具１４の把手１４３を持って灯具１４を押し上げていくと、やがて灯具１４と天井１０００との距離Ｌ１１は、第２判定値以上になる（灯具１４とテーブル１１００との距離Ｌ２１が８０ｃｍを越える）。この場合、検知装置１３は、光源１１が第３位置に位置していると判断して、第３検知信号を点灯装置１２に送信する。点灯装置１２は、検知装置１３から第３検知信号を受け取ると、各発光ダイオード１１１，１１２を消灯する。
【００３５】
本実施形態の照明器具１０では、テーブル１１００で食事をする場合には、灯具１４を第２位置に移動させることで、食事に適した色温度が２７００Ｋの光が得られる。テーブル１１００で読書や勉強をする場合には、灯具１４を第１位置に移動させることで、読書や勉強に適した色温度が５０００Ｋの光が得られる。
【００３６】
このように、ユーザが照明器具１０の用途に応じて、照明器具１０の灯具１４の位置を変えれば、光源１１の色温度が照明器具１０の用途に対応した色温度に変更される。
【００３７】
以上述べたように、本実施形態の照明器具１０は、発光色が異なる複数の発光ダイオード１０１，１０２を有する光源１０と、光源１０を制御する点灯装置１１と、所定位置に配置され光源１０を可動に保持する保持体２１と、光源１０の動きを検知する検知装置１２と、を備える。点灯装置１１は、検知装置１２の検知結果に応じて、複数の発光ダイオード１０１，１０２を制御することで、光源１０の色温度を変化させるように構成される。
【００３８】
本実施形態の照明器具１０では、点灯装置１２が、検出装置１３の検出結果に応じて、発光色が異なる発光ダイオード１１１，１１２を制御する。そのため、本実施形態の照明器具１０によれば、反射板やカラーフィルタなどの光学部材を利用することなく、光源１０の動き（変位）に応じて光源１０の色温度を変えられる。
【００３９】
なお、上述の例では、光源１１は２種類の色温度を有する。しかしながら、光源１１は、３種類以上の色温度を有していてもよい。また、検知装置１３は、灯具１４と天井１０００との距離を示す検知信号を点灯装置１２に送信してもよい。この場合、点灯装置１２は、検知信号が示す灯具１４と天井１０００との距離に応じて、色温度が連続的に変換するように、光源１１の各発光ダイオード１１０の制御を行うように構成されていてもよい。たとえば、点灯装置１２は、検知信号が示す灯具１４と天井１０００との距離が短くなるにつれて、第２の発光ダイオード１１２の明るさを明るくし、第１の発光ダイオード１１１の明るさを暗くする。すなわち、点灯装置１２は、各発光ダイオード１１０の調光率を変化させるように構成されていてもよい。
【００４０】
図３（ａ），（ｂ）は、本実施形態の第１変形例の照明器具１０Ａを示す。第１変形例の照明器具１０Ａは、壁に設置されるいわゆるウォールライトである。
【００４１】
照明器具１０Ａは、光源１１と、点灯装置１２と、検知装置１３Ａと、灯具１４Ａと、保持体１５Ａと、を備える。なお、照明器具１０Ａと照明器具１０とで共通する構成については同一の符号を付して説明を省略する。
【００４２】
灯具１４Ａは、光源１１と、点灯装置１２と、電池（図示せず）を収納する。灯具１４Ａは、たとえば、円柱状の第１筐体１４１Ａと、透光性を有するランプカバー１４２Ａとを有する。第１筐体１４１Ａの側面には開口が設けられている。ランプカバー１４２Ａは、第１筐体１４１Ａの開口を塞ぐようにして第１筐体１４１Ａの側面に取り付けられる。
【００４３】
第１変形例において、点灯装置１２は、灯具１４Ａに収納された電池より得た電力を利用して光源１１の発光ダイオード１１０の制御を行う。
【００４４】
保持体１５Ａは、壁１２００に配置される。保持体１５Ａは、たとえば、円柱状の第２筐体１５１Ａと、軸１５３と、軸１５３を回転自在に支持する軸受１５４と、を有する。第２筐体１５１に軸受１５４が収納されている。軸１５３の一端は軸受１５４に回転自在に支持され、軸１５３の他端は灯具１４Ａに連結されている。軸１５３の中心軸と灯具１４Ａの中心軸は一致している。このように、保持体１５Ａは、灯具１４Ａを回転自在に保持する（灯具１４Ａを可動に保持する）。
【００４５】
保持体１５Ａの第２筐体１５１Ａには、検知装置１３Ａが収納されている。
【００４６】
検知装置１３Ａは、光源１１の動き（灯具１４Ａの動き）を検知するように構成される。検知装置１３Ａは、灯具１４Ａの回転を、光源１１の動きとして検知する。
【００４７】
検知装置１３Ａは、灯具１４Ａの回転角度を検知するロータリセンサである。検知装置１３Ａは、灯具１４Ａの回転角度に基づいて、光源１１が第１位置と第２位置とのいずれに位置しているかを判断する。たとえば、検知装置１３Ａは、灯具１４Ａの回転角度が最小値（たとえば０度）であれば、光源１１が第１位置に位置していると判断する。検知装置１３Ａは、灯具１４Ａの回転角度が最大値（たとえば、３４０度）であれば、光源１１が第２位置に位置していると判断する。なお、検知装置１３Ａは、回転量や、回転角度、回転位置を計測するロータリエンコーダであってもよい。
【００４８】
次に、本実施形態の照明器具１０Ａの動作について簡単に説明する。
【００４９】
ここで、図３（ｂ）中のＰｍｉｎは、灯具１４Ａの回転角度が最小値になる方向を示す。灯具１４Ａは、Ｐｍｉｎから反時計回り方向には回転できないとする。図３（ｂ）のＰｍａｘは灯具１４Ａの回転角度が最大値になる方向を示す。灯具１４Ａは、Ｐｍａｘから時計回り方向には回転できないとする。
【００５０】
まず、灯具１４ＡがＰｍｉｎで示す方向を向いているとする。このとき、灯具１４Ａの回転角度は最小値である。この場合、検知装置１３Ａは、光源１１が第１位置に位置していると判断して、第１検知信号を点灯装置１２に送信する。点灯装置１２は、検知装置１３から第１検知信号を受け取ると、第１の発光ダイオード１１１を点灯するとともに第２の発光ダイオード１１２を消灯する。この場合、光源１１の色温度は、５０００Ｋになる。
【００５１】
その後、ユーザが灯具１４Ａを持って灯具１４ＡをＰｍａｘで示す方向まで時計回りに方向に回転させたとする。
【００５２】
このとき、灯具１４Ａの回転角度は最大値になる。この場合、検知装置１３Ａは、光源１１が第２位置に位置していると判断して、第２検知信号を点灯装置１２に送信する。点灯装置１２は、検知装置１３から第２検知信号を受け取ると、第２の発光ダイオード１１２を点灯するとともに第１の発光ダイオード１１１を消灯する。この場合、光源１１の色温度は、２７００Ｋになる。
【００５３】
このように、第１変形例の照明器具１０Ａでは、ユーザが灯具１４Ａを回転させることで、光源の色温度が変化する。
【００５４】
図４は、本実施形態の第２変形例の照明器具１０Ｂを示す。第２変形例の照明器具１０Ｂは、机や床に設置されるいわゆるスタンドである。
【００５５】
照明器具１０Ｂは、光源１１と、点灯装置１２と、検知装置１３Ｂと、灯具１４Ｂと、保持体１５Ｂと、を備える。なお、照明器具１０Ｂと照明器具１０とで共通する構成については同一の符号を付して説明を省略する。
【００５６】
灯具１４Ｂは、光源１１と、点灯装置１２と、を収納する。灯具１４Ｂは、たとえば、円柱状の第１筐体１４１Ｂと、透光性を有するランプカバー１４２Ｂとを有する。第１筐体１４１Ｂの前面には開口が設けられている。ランプカバー１４２Ｂは、第１筐体１４１Ｂの開口を塞ぐようにして第１筐体１４１Ｂの前面に取り付けられる。
【００５７】
保持体１５Ｂは、壁１２００に配置される。保持体１５Ｂは、たとえば、板状の台１５５と、円柱状のポール１５６と、連結具１５７と、円柱状のアーム１５８と、を有する。ポール１５６の下端は、台１５５の上面に取り付けられている。ポール１５６の上端には連結具１５７が設けられている。連結具１５７は、アーム１５８をその長さ方向に直交する方向を回転軸方向として回転自在に支持する。アーム１５８の第１端は連結具１５７に支持されている。アーム１５８の第２端は灯具１４Ｂに連結されている。このように、保持体１５Ｂは、灯具１４Ｂを回転自在に保持する（灯具１４Ｂを可動に保持する）。
【００５８】
保持体１５Ｂの連結具１５７には、検知装置１３Ｂが収納されている。
【００５９】
検知装置１３Ｂは、光源１１の動き（灯具１４Ｂの動き）を検知するように構成される。検知装置１３Ｂは、灯具１４Ｂの回転（すなわち、アーム１５８の回転）を、光源１１の動きとして検知する。
【００６０】
検知装置１３Ｂは、灯具１４Ｂ（アーム１５８）の回転角度を検知するロータリセンサである。なお、検知装置１３Ｂは、回転量や、回転角度、回転位置を計測するロータリエンコーダであってもよい。
【００６１】
検知装置１３Ｂは、灯具１４Ｂの回転角度に基づいて、光源１１が第１位置と第２位置とのいずれに位置しているかを判断する。たとえば、検知装置１３Ｂは、灯具１４Ｂの回転角度が最大値（たとえば６０度）であれば、光源１１が第１位置に位置していると判断する。検知装置１３Ｂは、灯具１４Ｂの回転角度が最小値（たとえば、０度）であれば、光源１１が第２位置に位置していると判断する。
【００６２】
次に、本実施形態の照明器具１０Ｂの動作について簡単に説明する。
【００６３】
まず、灯具１４Ｂが図４に破線で示す位置にあるとする。このとき、灯具１４Ｂの回転角度は最大値である。この場合、検知装置１３Ｂは、光源１１が第１位置に位置していると判断して、第１検知信号を点灯装置１２に送信する。点灯装置１２は、検知装置１３Ｂから第１検知信号を受け取ると、第１の発光ダイオード１１１を点灯するとともに第２の発光ダイオード１１２を消灯する。この場合、光源１１の色温度は、５０００Ｋになる。
【００６４】
その後、ユーザが灯具１４Ｂを持って灯具１４Ｂを図４に実線で示す位置まで反時計回り方向に回転させたとする。
【００６５】
このとき、灯具１４Ｂの回転角度は最小値である。この場合、検知装置１３Ｂは、光源１１が第２位置に位置していると判断して、第２検知信号を点灯装置１２に送信する。点灯装置１２は、検知装置１３Ｂから第２検知信号を受け取ると、第２の発光ダイオード１１２を点灯するとともに第１の発光ダイオード１１１を消灯する。この場合、光源１１の色温度は、２７００Ｋになる。
【００６６】
このように、第２変形例の照明器具１０Ｂにおいても、ユーザが灯具１４Ｂを回転させることで、光源の色温度が変化する。
【符号の説明】
【００６７】
１０    照明器具
１１    光源
１２    点灯装置
１３    検知装置
１５    保持体
１１０    発光ダイオード
【図１】
2011175806.tif 000003
【図２】
2011175806.tif 000004
【図３】
2011175806.tif 000005
【図４】
2011175806.tif 000006